(57)【要約】      （修正有）【課題】保持部材に設けられた保持部に容器を保持し、陳列すべき位置に設置部材により支柱体を立設することにより、果物や果物の缶詰、菓子等の供物や飾り物等の商品を容器に盛り付けて陳列することができ、着脱部と複数個の装着部との着脱により各種の商品陳列態様を得ることができる。【解決手段】冠婚葬祭、催事等において、果物や果物の缶詰、菓子等の供物や飾り物等の商品Ｗを容器に盛り付けて陳列する商品陳列スタンドであって、陳列すべき位置に設置される設置部材２に支柱体３を立設し、支柱体に支持部材４を配設し、支持部材に保持部材６を装着機構により突設し、保持部材に商品を盛り付ける容器を保持可能な保持部８を設けてなり、装着機構として、支持部材に複数個の装着部を支柱体の周りを囲む位置に設け、保持部材に装着部に着脱可能な着脱部を設けてなる。【選択図】図１
0003134987.tif 000002
【実用新案登録請求の範囲】
【請求項１】
冠婚葬祭、催事等において、果物や果物の缶詰、菓子等の供物や飾り物等の商品を容器に盛り付けて陳列する商品陳列スタンドであって、陳列すべき位置に設置される設置部材に支柱体を立設し、該支柱体に支持部材を配設し、該支持部材に保持部材を装着機構により突設し、該保持部材に上記商品を盛り付ける容器を保持可能な保持部を設けてなり、上記装着機構として、上記支持部材に複数個の装着部を上記支柱体の周りを囲む位置に設け、上記保持部材に該装着部に着脱可能な着脱部を設けてなることを特徴とする商品陳列スタンド。
【請求項２】
上記装着部は内穴を縦穴部とする装着管材からなり、該装着管材の上部にスリット溝部を形成し、上記着脱部は該縦穴部に挿脱可能な軸状部及び該スリット溝部に嵌脱可能な板状部からなり、該板状部に該装着管材の外周面に当接可能な内面をもつ溝状部を形成してなることを特徴とする請求項１記載の商品陳列スタンド。
【請求項３】
上記保持部は前下がり状に配置されていることを特徴とする請求項１又は２記載の商品陳列スタンド。
【請求項４】
上記支持部材に名札を取付可能な名札取付部を設けてなることを特徴とする請求項１〜３のいずれか１項に商品陳列スタンド。
【請求項５】
上記設置部材、上記支柱体、上記支持部材及び上記保持部材は、相互に分解組立自在に設けられていることを特徴とする請求項１〜４のいずれか１項に商品陳列スタンド。
【考案の詳細な説明】
【技術分野】
【０００１】
本考案は、冠婚葬祭、催事等において、果物や果物の缶詰、菓子等の供物や飾り物等の商品を容器に盛り付けて陳列する際に用いられる商品陳列スタンドに関するものである。
【背景技術】
【０００２】
従来、この種の商品陳列スタンドとして、陳列すべき位置に設置される設置部材に支柱体を立設し、該支柱体に商品を盛り付ける容器を多段に積重してなる構造のものが知られている。
【特許文献１】特開２００３−２０４８６５
【考案の開示】
【考案が解決しようとする課題】
【０００３】
しかしながらこの従来構造の場合、上記容器は商品を支柱体の全周囲に盛り付ける構造の支柱体の中心を中心とする円形容器となっており、例えば、設置位置が祭壇や演壇に近い位置である場合、円形容器の後方に位置する商品を視認することができず、それだけ、見栄えなどの商品陳列効果を低下させることがあるという不都合を有している。
【課題を解決するための手段】
【０００４】
本考案はこれらの不都合を解決することを目的とするもので、本考案のうちで、請求項１記載の考案は、冠婚葬祭、催事等において、果物や果物の缶詰、菓子等の供物や飾り物等の商品を容器に盛り付けて陳列する商品陳列スタンドであって、陳列すべき位置に設置される設置部材に支柱体を立設し、該支柱体に支持部材を配設し、該支持部材に保持部材を装着機構により突設し、該保持部材に上記商品を盛り付ける容器を保持可能な保持部を設けてなり、上記装着機構として、上記支持部材に複数個の装着部を上記支柱体の周りを囲む位置に設け、上記保持部材に該装着部に着脱可能な着脱部を設けてなることを特徴とする商品陳列スタンドにある。
【０００５】
又、請求項２記載の考案は、上記装着部は内穴を縦穴部とする装着管材からなり、該装着管材の上部にスリット溝部を形成し、上記着脱部は該縦穴部に挿脱可能な軸状部及び該スリット溝部に嵌脱可能な板状部からなり、該板状部に該装着管材の外周面に当接可能な内面をもつ溝状部を形成してなることを特徴とするものであり、又、請求項３記載の考案は、上記保持部は前下がり状に配置されていることを特徴とするものであり、又、請求項４記載の考案は、上記支持部材に名札を取付可能な名札取付部を設けてなることを特徴とするものであり、又、請求項５記載の考案は、上記設置部材、上記支柱体、上記支持部材及び上記保持部材は、相互に分解組立自在に設けられていることを特徴とするものである。
【考案の効果】
【０００６】
本考案は上述の如く、請求項１記載の考案にあっては、冠婚葬祭、催事等の祭壇や演壇において、保持部材に設けられた保持部に容器を保持し、陳列すべき位置に設置部材により支柱体を立設することにより、果物や果物の缶詰、菓子等の供物や飾り物等の商品を容器に盛り付けて陳列することができ、この際、上記装着機構として、上記支持部材に複数個の装着部を上記支柱体の周りを囲む位置に設け、上記保持部材に装着部に着脱可能な着脱部を設けてなるから、上記着脱部と複数個の装着部との着脱により各種の商品陳列態様を得ることができ、したがって、陳列すべき商品のサイズや数量等に応じた陳列態様に容易に変更することができ、それだけ、陳列態様の融通性を高めることができ、見栄えなどの商品陳列効果の向上を図ることができる。
【０００７】
又、請求項２記載の考案にあっては、上記装着部は内穴を縦穴部とする装着管材からなり、該装着管材の上部にスリット溝部を形成し、上記着脱部は該縦穴部に挿脱可能な軸状部及び該スリット溝部に嵌脱可能な板状部からなり、板状部に装着管材の外周面に当接可能な内面をもつ溝状部を形成してなるから、装着機構の構造を簡素化することができると共に保持部材の着脱を容易に行うことができ、又、請求項３記載の考案にあっては、上記保持部は前下がり状に配置されているから、前方からの視認性が高まり、商品陳列効果を高めることができ、又、請求項４記載の考案にあっては、上記支持部材に名札を取付可能な名札取付部を設けてなるから、各種の名札を容易に取り付けることができ、一層、商品陳列効果を高めることができ、又、請求項５記載の考案にあっては、上記設置部材、上記支柱体、上記支持部材及び上記保持部材は、相互に分解組立自在に設けられているから、相互に分解することができ、収納保管スペースを小さくすることができると共に可搬携帯性を高めることができる。
【考案を実施するための最良の形態】
【０００８】
図１乃至図１２は本考案の実施の形態例を示し、図１乃至図１０は第一形態例、図１１、図１２は第二形態例である。
【０００９】
図１乃至図１０の第一形態例において、１は容器であって、この場合、図４の如く、果物や果物の缶詰、菓子等の供物や飾り物等の商品Ｗを盛り付けるための籐製のカゴが用いられている。
【００１０】
２は設置部材であって、この場合、図１、図３の如く、Ｃリング状の設置杆２ａ及び前部に位置する設置板２ｂからなり、設置杆２ａ及び設置板２ｂの底面にキャスタ２ｃ及びアジャスタ２ｄを取り付けて構成している。
【００１１】
３は支柱体であって、各種長さの管材が用いられ、この場合、図１、図４、図７の如く、上記設置部材２に挿通部２ｅを立設し、挿通部２ｅに支柱体３を嵌脱自在に立設し、挿通部２ｅ及び支柱体３の下部にそれぞれ穴２ｆ・３ａを形成し、この各穴２ｆ・３ａにピン３ｂを挿通し、設置部材２に支柱体３を着脱自在に立設している。
【００１２】
４は支持部材であって、この場合、図５の如く、図７の如く、支柱体３に挿通可能な管材が用いられ、上記支柱体３に取付機構５により上下に二個取り付けられ、この各支持部材４・４に保持部材６・６を装着機構７により突設し、この保持部材６に上記商品Ｗを盛り付ける容器１を保持可能な保持部８・８を前下がり状に配置している。
【００１３】
この場合、図５の如く、上記装着機構７として、上記支持部材４に複数個、この場合五個のの装着部９・９・・を上記支柱体３の周りを囲む位置に設け、上記保持部材６・６に装着部９・９・・に着脱可能な着脱部１０・１０を設けて構成している。
【００１４】
この場合、図５、図６、図７の如く、上記装着部９は内穴を縦穴部９ａとする装着管材９ｂからなり、装着管材９ｂの上部にスリット溝部９ｃを形成し、上記着脱部１０は縦穴部９ａに挿脱可能な軸状部１０ａ及びスリット溝部９ｃに嵌脱可能な板状部１０ｂからなり、板状部１０ｂに装着管材９ｂの外周面に当接可能な内面１０ｃをもつ溝状部１０ｄを形成して構成している。
【００１５】
また、この場合、上記取付機構５として、図４、図５、図７の如く、上記二個の支持部材４及び支柱体３の中程部、上部にそれぞれ穴４ａ・４ａ・３ｃ・３ｄを形成し、この各穴４ａ・４ａ・３ｃ・３ｄにピン３ｅを挿通し、支柱体３に支持部材４・４を着脱自在に取り付けるように構成している。
【００１６】
１１は名札取付部であって、この場合、図５、図６、図７、図８の如く、上記上方の支持部材４の後部に取り付けられ、この場合、名札取付部１１は平面コ状の枠材からなり、この枠材内に送り主の氏名等を記した名札１２の基部軸１２ａを挿通してネジ１３により固定するように構成している。
【００１７】
この実施の第一形態例は上記構成であるから、冠婚葬祭、催事等の祭壇や演壇において、保持部材６に設けられた保持部８に容器１を保持し、陳列すべき位置に設置部材２により支柱体３を立設することにより、果物や果物の缶詰、菓子等の供物や飾り物等の商品Ｗを容器１に盛り付けて陳列することができ、この際、上記装着機構７として、上記支持部材４に複数個の装着部９・９・・を上記支柱体３の周りを囲む位置に設け、上記保持部材６に装着部９・９・・に着脱可能な着脱部１０を設けてなるから、図６の如く、三個の保持部材６・６・６の着脱部１０を五個の装着部９・９・・から三個選択した装着部９・９・９に装着して図８のような陳列態様としたり、図９の如く、二個の保持部材６・６・６を五個の装着部９・９・・から二個選択した装着部９・９に装着したり、図１０の如く、一個の保持部材６を五個の装着部９・９・・から一個選択した装着部９に装着したりして、着脱部１０と複数個の装着部９との着脱により各種の陳列態様を得ることができ、したがって、陳列すべき商品Ｗのサイズや数量等に応じた陳列態様に容易に変更することができ、それだけ、陳列態様の融通性を高めることができ、見栄えなどの商品陳列効果の向上を図ることができる。
【００１８】
この場合、上記装着部９は内穴を縦穴部９ａとする装着管材９ｂからなり、該装着管材９ｂの上部にスリット溝部９ｃを形成し、上記着脱部１０は該縦穴部９ａに挿脱可能な軸状部１０ａ及び該スリット溝部９ｃに嵌脱可能な板状部１０ｂからなり、板状部１０ｂに装着管材９ｂの外周面に当接可能な内面１０ｃをもつ溝状部１０ｄを形成してなるから、装着機構７の構造を簡素化することができると共に保持部材６の着脱を容易に行うことができ、又、この場合、上記保持部８は前下がり状に配置されているから、前方からの視認性が高まり、商品陳列効果を高めることができ、更に、この場合、上記支持部材４に名札１２を取付可能な名札取付部１１を設けてなるから、各種の名札１２を容易に取り付けることができ、一層、商品陳列効果を高めることができ、又、この場合、上記設置部材２、上記支柱体３、上記支持部材４及び上記保持部材６は、相互に分解組立自在に設けられているから、相互に分解することができ、収納保管スペースを小さくすることができると共に可搬携帯性を高めることができる。
【００１９】
図１１、図１２の第二形態例は別例構造を示し、この場合、上記保持部材６を支柱体３に対して角度調節可能な角度調節機構１４を設けてなり、この場合、角度調節機構１４として、保持部材６の基部に着脱部１０の板状部材１０ｂを支点軸１５たるネジ軸により角度調節自在に連結すると共に保持部材６の基部に挟み込み部１６を形成し、支点軸１５たるネジ軸にナット１５ａを螺着し、支点軸１５の弛緩回動して、想像線に示す如く、上記保持部材６を支柱体３に対して上方又は下方に支点軸１５を中心として角度調節したのち、支点軸１５を緊締回動して保持部材６を着脱部１０に固定するように構成している。
【００２０】
この第二形態例にあっては、上記第一形態例と同様な作用効果を得ることができると共に角度調節機構１４により上記保持部材６を支柱体３に対して角度調節することができ、陳列すべき商品Ｗに応じて角度調節することにより商品陳列効果を高めることができる。
【００２１】
尚、本考案は上記実施の形態例に限られるものではなく、容器１、設置部材２、支柱体３、支持部材４、保持部材６、保持部８、装着部８、着脱部１０の大きさや形態、構造等は適宜設計して変更されるものである。
【００２２】
以上、所期の目的を充分達成することができる。
【図面の簡単な説明】
【００２３】
【図１】本考案の第一実施の形態例の全体正面図である。
【図２】本考案の実施の第一形態例の全体側面図である。
【図３】本考案の実施の第一形態例の全体平面図である。
【図４】本考案の実施の第一形態例の分解斜視図である。
【図５】本考案の実施の第一形態例の部分拡大分解斜視図である。
【図６】本考案の実施の第一形態例の部分平面図である。
【図７】本考案の実施の第一形態例の部分縦断面図である。
【図８】本考案の実施の第一形態例の使用状態の正面図である。
【図９】本考案の実施の第一形態例の部分平面図である。
【図１０】本考案の実施の第一形態例の部分平面図である。
【図１１】本考案の実施の第二形態例の部分平面図である。
【図１２】本考案の実施の第二形態例の部分縦断面図である。
【符号の説明】
【００２４】
Ｗ    商品
１    容器
２    設置部材
３    支柱体
４    支持部材
５    取付機構
６    保持部材
７    装着機構
８    保持部
９    装着部
９ａ    縦穴部
９ｂ    装着管材
９ｃ    スリット溝部
１０    着脱部
１０ａ    軸状部
１０ｂ    板状部
１０ｃ    内面
１０ｄ    溝状部
１１    名札取付部
１２    名札
【図１】
0003134987.tif 000003
【図２】
0003134987.tif 000004
【図３】
0003134987.tif 000005
【図４】
0003134987.tif 000006
【図５】
0003134987.tif 000007
【図６】
0003134987.tif 000008
【図７】
0003134987.tif 000009
【図８】
0003134987.tif 000010
【図９】
0003134987.tif 000011
【図１０】
0003134987.tif 000012
【図１１】
0003134987.tif 000013
【図１２】
0003134987.tif 000014